(57)【要約】      （修正有）【課題】フィルターを備えた電子機器冷却用送風ファンのフィルターの清浄装置を提供する。【解決手段】防塵軸流ファン装置において、軸流ファン２１を配置したフレーム体３０内に、ファンへの気流を導入する入口３０１、出口３０２の間に流通空間３０３を設け、出口３０２に対してフィルター５０を設けて、ファンへの空気をろ過清浄化する。入口側に開閉を電磁制御される活動板４０を配置すると共に該活動板により開閉される開口３０４を設け、ファンの逆回転に同期して活動板により入口を閉鎖すると共に該開口を空けてフィルターに蓄積されたダストを吹き落としてフィルター５０の清浄化を行う。【選択図】図３
0003162682.tif 000002
【実用新案登録請求の範囲】
【請求項１】
防塵軸流ファン装置において、
フレーム体の一方側に設けたファン上蓋にファン中央輪を介して正逆回転可能な軸流ファンを配置し、
該フレーム体内に該ファン上蓋に相対する空気の出口及び出口を設け、
該出口にフィルターを配置すると共に入口に開閉可能な活動板を設けてファンの逆回転に対応して該入口を閉鎖するようにしたことを特徴とする防塵軸流ファン装置。
【請求項２】
前記フレーム体は、前記出口及び入口間に流通空間を備えることを特徴とする請求項１記載の防塵軸流ファン装置。
【請求項３】
前記フレーム体は、前記流通空間の底部に開口を備えることを特徴とする請求項１記載の防塵軸流ファン装置。
【請求項４】
前記開口には、集塵袋を設置したことを特徴とする請求項３記載の防塵軸流ファン装置。
【請求項５】
前記フレーム体は、出口位置に凹溝を備え、該凹溝により該フレーム体からフィルターを着脱可能としたことを特徴とする請求項１記載の防塵軸流ファン装置。
【請求項６】
前記フレーム体は、開口位置にレールを備え、フレーム体上で該集塵袋を着脱することを特徴とする請求項４記載の防塵軸流ファン装置。
【請求項７】
前記軸流ファン装置は、更に連接桿を備えた電磁ユニットを具え、該連接桿上には弾性部品を被せると共に弾性部品の一端とスライドブロックを組合せ、該スライドブロックによりフレーム体の活動板を連動せしめて、スライドブロックが活動板を動かして入口を開閉することを特徴とする請求項１記載の防塵軸流ファン装置。
【請求項８】
フレーム体側面に筐体を設けて、前記電磁ユニットを該筐体内に設置したことを特徴とする請求項７記載の防塵軸流ファン装置。
【請求項９】
前記電磁ユニットは、ファン中央輪の正、逆回転の変換させると共に、磁力を発生させたり、止めたりすることを特徴とする請求項７記載の防塵軸流ファン装置。
【請求項１０】
前記電磁ユニットは、ファン中央輪の正回転時に磁力を止めると、上記弾性部品は電磁ユニットの吸引磁力を受けなくなり、スライドブロックを介してその弾発力を発生させ、スライドブロックを連動して該活動板が上記入口を開くことを特徴とする請求項９記載の防塵軸流ファン装置。
【請求項１１】
前記電磁ユニットは、ファン中央輪の逆回転時に磁力を発生させると、その弾性部品の弾発力に抗して電磁ユニット吸引磁力を受けて該スライドブロックを吸着し、スライドブロックに連動する該活動板によって入口を閉鎖することを特徴とする請求項９記載の防塵軸流ファン装置。
【考案の詳細な説明】
【技術分野】
【０００１】
本考案は、軸流ファン装置に関するもので、特にダストから隔離し、隔離したダストを除去する防塵軸流ファン装置に係わる。
【背景技術】
【０００２】
現在の電子製品産業の発展により、電子部品の性能は高スピードで向上し、演算処理速度も益々早くなっている。更にその内部のチップの演算速度も向上し、チップの数も益々増えているため、前述のチップの作業時に排出する熱量も、それに合わせて増加しており、前述の熱量が即座に放散されなければ電子部品の性能に大きな影響、例として電子部品処理速度の低下、フリーズ、焼き切れ等の情況発生などが起こる。そのため、放熱は電子部品の重要課題の一つであり、放熱ファンを放熱裝置として用いる方法が採用されている。
【０００３】
一般の軸流ファンは、ファン上蓋及びファン中央輪を備える。そのファン中央輪はファン上蓋内に枢設し、該軸流ファンが作動する時、該ファン中央輪は該ファン上蓋内で正回転し、ファン中央輪一側の空気を別一側へ送り、別一側の環境と発熱部品に対して放熱する。しかしながら、一般環境の空気内には、必ず夾雜粉塵及び異物（例として空気中の浮遊粉塵、ミクロの毛等々）が存在している。
【０００４】
そのため、軸流ファンが回転すると、粉塵及び異物が混じった空気を放熱したい電子製品と電子部品に引き込む。しかし、その軸流ファンは一定時間使用すると、ファン中央輪上のプロペラ片には相当な厚みの粉塵及び異物で覆われ、放熱したい電子製品と電子部品にはダストがたまり、軸流ファンの流体性能を下げ、電子製品と電子部品の放熱機能低下現象が発生し、製品の寿命を縮めてしまう。 
【先行技術文献】
【特許文献】
【０００５】
【特許文献１】特開２０００−１５１１６７号公報
【考案の概要】
【考案が解決しようとする課題】
【０００６】
解決しようとする問題点は、プロペラ片上に被ったダストが流体性能に影響を与えること、埃を被りやすいこと、放熱効果が低下すること、使用寿命が短くなることである。
【０００７】
依って、上述公知の問題と欠点を改善するため、本考案の考案者は改善する方向で研究を重ねてきた。
【課題を解決するための手段】
【０００８】
本考案は、軸流ファン及びフレーム体を具える。該軸流ファンはファン上蓋及びファン中央輪を備え、該ファン中央輪は該ファン上蓋内に枢設する。該該フレーム体は少なくとも一活動板の入口及び一フィルターの出口を設置して備え、底部には開口を備える。ファン中央輪が正回転した時、気流は入口から進入してフィルターを経て濾過した後、出口から送り出す。またファン中央輪が逆回転した時、活動板が該入口を閉め、気流は出口から進入してフィルター上のダストを吹き落とし、それが活動板に当てた後、開口から落ちることを最も主要な特徴とする。
【考案の効果】
【０００９】
本考案の防塵軸流ファン装置は、有効に粉塵もしくは異物を隔離して除去し、積塵速度を下げ、放熱効果を維持し、使用寿命を延ばすという利点がある。
【図面の簡単な説明】
【００１０】
【図１】本考案の良好な実施例の立体図である。
【図２】本考案の良好な実施例の別一角度立体図である。
【図３】本考案の良好な実施例の立体断面図である。
【図４】本考案の良好な実施例の実施状態指示図である。
【図５】本考案の良好な実施例の別一実施状態指示図である。
【図６】本考案の別の良好な実施例の立体図である。
【図７】本考案の別の良好な実施例の別一角度立体図である。
【図８】本考案の別の良好な実施例の立体断面図である。
【図９】本考案の別の良好な実施例の実施状態指示図である。
【図１０】本考案の別の良好な実施例の別一実施状態指示図一である。
【図１１】本考案の別の良好な実施例の別一実施状態指示図二である。
【考案を実施するための形態】
【００１１】
上述の問題を有効に改善するため、ダストを有効に隔離し、且つ隔離したダストを除去する防塵軸流ファン装置を提供することを本考案の主な目的とする。
【００１２】
上述の目的を達成するため、本考案は軸流ファン装置を提供する。軸流ファン装置は、軸流ファン及びフレーム体を具える。該軸流ファンはファン上蓋及びファン中央輪を備え、該ファン中央輪は該ファン上蓋内に枢設し、且つファン上蓋で正回転もしくは逆回転を選択して変換する。該フレーム体は該ファン上蓋一側で組立て、且つフレーム体両側辺にはそれぞれ入口及び出口を備え、底部に開口を備える。該入口位置には少なくとも一活動板を備え、該出口位置にはフィルターを設置し、且つ該ファン中央輪に対応する。そのため、ファン中央輪が正回転した時、気流は入口から進入してフィルターを経て濾過した後、出口から送り出し、放熱の目的を達成し、且つダストを濾過する。またファン中央輪が逆回転した時、活動板は該入口を閉め、気流は出口から進入してフィルター上のダストを吹き落として活動板に当て、吹き落したダストは開口からフレーム体へ送り出し、有効に粉塵もしくは異物を隔離し、且つ隔離した粉塵もしくは異物を除去する。更に放熱したい作用環境と電子部品の積塵速度を有効に下げ、且つ放熱機能を維持して使用寿命を延ばす。
【実施例１】
【００１３】
本考案の上述の目的及びその構造と機能上的特性を、良好な実施例を挙げて図面と共に説明する。
【００１４】
図１、２、３に示すのは、本考案の軸流ファン装置１０の良好な第一実施例の立体図、別の角度から見た立体図及び立体断面図である。図に示すとおり、該軸流ファン装置１０は、軸流ファン２０及びフレーム体３０を具える。
【００１５】
該軸流ファン２０は、ファン上蓋２１、ファン中央輪２２及びファン制御回路（図中未表示）を備える。該ファン中央輪２２とファン制御回路は、該ファン上蓋２１内に枢設し、且つ該ファン制御回路はファン中央輪２２をファン上蓋２１内で正、逆回転させ、該フレーム体３０は該ファン上蓋２１片側に設置し、更にそのフレーム体３０の両側辺にはそれぞれ入口３０１及び出口３０２を備え、その入口３０１と出口３０２の間には流通空間３０３を備え、更に底部には開口３０４を備える。該入口３０１位置には一以上の活動板４０を設置し、該活動板４０の開閉によって該入口３０１を開閉する。また該フレーム体３０は、出口３０２に凹溝３０５を備え、該凹溝３０５にフィルター５０を設置して該出口３０２を接合する。
【００１６】
図４に示すのは、本考案の軸流ファン装置１０の立体断面指示図であり、図に示すとおり、該ファン制御回路がファン中央輪２２を動かしてファン上蓋２１内で正回転させた時、そのファン中央輪２２がフレーム体３０の入口３０１一側の気流を導いて入口３０１から進入させ、流通空間３０３を経て出口３０２位置へ流通させ、且つファン中央輪２２から放熱したい環境と電子部品（図中未表示）へ送る。またその気流は流通空間３０３を経て出口３０２位置へ流れた時、先ず出口３０２位置に設置したフィルター５０を通り、該フィルター５０が気流中に含まれる粉塵及び異物を濾過し、有効に粉塵及び異物を取り除く。それらによって該ファン中央輪２２がクリーンな気流を放熱したい作用環境と電子部品へ送し、ファン中央輪２２及び放熱したい作用環境の温度を下げ、電子部品の積塵速度を向上する。
【００１７】
図５に示すとおり、ここで該ファン制御回路がファン中央輪２２を動かしてファン上蓋２１内で逆回転した時、活動板４０は閉まり、活動板４０によって入口３０１が閉められ、ファン中央輪２２は気流を出口３０２から進入させ、流通空間３０３を経て入口３０１へ流し、その気流がフィルター５０を通った時、フィルター５０上の粉塵及び異物を活動板４０へ吹き落とし、活動板４０に当たって吹き落した粉塵及び異物を開口３０４からフレーム体３０へ送り出し、隔離した粉塵及び異物を除去し、フレーム体３０と軸流ファン２０の清浄さを保つ。
【実施例２】
【００１８】
図６、７、８及び図１０に示すのは、本考案の軸流ファン装置１０の別の良好な実施例の立体図、別一角度の立体図、立体断面図で、本実施例の構造は、前述の第一実施例と同じであるため、各部の相対する位置は前述の第一実施例を参照し、ここでは説明しない。本実施例の第一実施例と異なる箇所は、本実施例のフレーム体３０一側辺には筐体７０を設置する。開口３０４位置にはレール３０６を成形し、該レール３０６上には集塵袋６０を設置し、該集塵袋６０を該開口３０４に組み立てる。
【００１９】
該筐体７０内に電磁ユニット７１を設置する。該電磁ユニット７１は連接桿７２及び電磁制御回路（図中未表示）を備え、該連接桿７２上には弾性部品７３を被せ、その一端にスライドブロック７４を設置する。該スライドブロック７４は該筐体７０を通し、且つフレーム体３０の活動板４０に連結する。また電磁制御回路は電気的なファン制御回路であり、且つその電磁ユニット７１はファン制御回路を通してファン中央輪２２を正、逆回転させて変換し、磁力を発生させたり、磁力を止めたりする。
【００２０】
図８、９、１０に示すのは、本考案の軸流ファン装置１０の別の実施例の断面指示図である。図に示すとおり、ファン中央輪２２は、ファン上蓋２１内で正回転し、該ファン制御回路は電磁制御回路によって該電磁ユニット７１を制御して磁力を止める。それにより活動板４０は開いた状態になり、フレーム体３０の入口３０１一側の気流は入口３０１から進入し、且つ流通空間３０３を経て出口３０２へ流れ、同時に出口３０２に設置したフィルター５０へ流れる。該フィルター５０が気流内に浮遊する粉塵及び異物を濾過し、有効に粉塵及び異物を取り除き、該ファン中央輪２２がクリーンな気流を放熱したい作用環境と電子部品へ送り、ファン中央輪２２及び放熱したい作用環境の温度を下げ、電子部品の積塵速度を向上する。
【００２１】
図１０、１１に示すとおり、そのうち、該ファン制御回路は、周期的にファン中央輪２２を駆動して正回転及び逆回転を相互交替で行う。また、ファン中央輪２２が逆回転する時、該ファン制御回路は、該電磁ユニット７１を制御して磁力を発生し、その磁力の吸引力が弾性部品７３の弾力より大きくなり、そのスライドブロック７４が該電磁ユニット７１に引っ張られることにより、スライドブロック７４に連結されている活動板４０を動かし、活動板４０が入口３０１を閉め、同時に気流はファン中央輪２２から出口３０２を通って導入され、気流がフィルター５０を通った時、フィルター５０上の粉塵及び異物を活動板４０上へ吹き落とし、更に活動板４０に当たって吹落したダストは開口３０４からフレーム体３０へ送られ、集塵袋６０へ落ち、粉塵及び異物を除去し、落ちた集塵袋６０を交換するだけでよく、フレーム体３０と軸流ファン２０を清浄に保つ。
【符号の説明】
【００２２】
１０        軸流ファン装置
２０        軸流ファン
２１        ファン上蓋
２２        ファン中央輪
３０        フレーム体
３０１        入口
３０２        出口
３０３        流通空間
３０４        開口
３０５        凹溝
３０６        レール
４０        活動板
５０        フィルター
６０        集塵袋
７０        筐体
７１        電磁ユニット
７２        連接桿
７３        弾性部品
７４        スライドブロック
【図１】
0003162682.tif 000003
【図２】
0003162682.tif 000004
【図３】
0003162682.tif 000005
【図４】
0003162682.tif 000006
【図５】
0003162682.tif 000007
【図６】
0003162682.tif 000008
【図７】
0003162682.tif 000009
【図８】
0003162682.tif 000010
【図９】
0003162682.tif 000011
【図１０】
0003162682.tif 000012
【図１１】
0003162682.tif 000013